(57)【特許請求の範囲】
【請求項１】
湯水を貯湯する貯湯タンクと、前記貯湯タンク下部に給水する給水管と、前記貯湯タンク上部から出湯する上部出湯管と、前記貯湯タンク中間部から出湯する中間出湯管と、前記貯湯タンク内の湯水を加熱するヒートポンプ加熱手段と、所定の時間帯に前記ヒートポンプ加熱手段によって前記貯湯タンク内の湯水を沸き上げ開始し、前記ヒートポンプ加熱手段に流入する湯水が所定の沸き上げ終了判定温度を超えると沸き上げ終了するようにした沸き上げ制御手段と、を備えたヒートポンプ式給湯装置において、前記貯湯タンクから中温水を出湯しきれたかどうかを判断する判断手段を設け、前記判断手段が中温水を出湯しきれなかったと判断した場合に、前記沸き上げ制御手段は前記沸き上げ終了判定温度を下げるようにしたことを特徴とするヒートポンプ式給湯装置。
【請求項２】
湯水を貯湯する貯湯タンクと、前記貯湯タンク下部に給水する給水管と、前記貯湯タンク上部から出湯する上部出湯管と、前記貯湯タンク中間部から出湯する中間出湯管と、前記貯湯タンク内の湯水を加熱するヒートポンプ加熱手段と、所定の時間帯に前記ヒートポンプ加熱手段によって前記貯湯タンク内の湯水を沸き上げ開始し、前記ヒートポンプ加熱手段に流入する湯水が所定の沸き上げ終了判定温度を超えると沸き上げ終了するようにした沸き上げ制御手段と、浴槽の湯水と前記貯湯タンク上部の湯水とを熱交換するフロ熱交換器と、前記貯湯タンクの第１の高さ位置の温度が第１の所定温度以下となった場合、または、前記貯湯タンクの前記第１の高さ位置よりも高い第２の高さ位置の温度が前記第１の所定温度よりも高い第２の所定温度以下となった場合に前記ヒートポンプ加熱手段で沸き増す沸き増し制御手段とを備えたヒートポンプ式給湯装置において、前記貯湯タンクから中温水を出湯しきれたかどうかを判断する判断手段を設け、前記判断手段が中温水を出湯しきれなかったと判断した場合に、前記沸き上げ制御手段は前記沸き上げ終了判定温度を下げるようにしたことを特徴とするヒートポンプ式給湯装置。
【請求項３】
所定の時間帯以外での前記ヒートポンプ加熱手段の１日の作動時間を積算する作動時間積算手段を設け、積算時間が所定時間以上となった場合は、前記沸き上げ制御手段は前記沸き上げ終了判定温度を上げるようにしたことを特徴とする請求項１または２に記載のヒートポンプ式給湯装置。
【請求項４】
前記判断手段は、前記中温水出湯管が接続された高さ付近の前記貯湯タンクの温度が所定の判断温度以下となることで中温水を出湯しきれたと判断するようにしたことを特徴とする請求項１〜３のいずれか一項に記載のヒートポンプ式給湯装置。
【請求項５】
前記所定の判断温度は前記沸き上げ終了判定温度より一定温度低い温度としたことを特徴とする請求項４記載のヒートポンプ式給湯装置。
【発明の詳細な説明】
【技術分野】
【０００１】
本発明は、ヒートポンプ式給湯装置に関するものである。
【背景技術】
【０００２】
従来よりこの種のヒートポンプ式給湯装置においては、特許文献１に示されるように、貯湯タンクと、貯湯タンクに給水する給水管と、貯湯タンクから出湯する上部出湯管と、貯湯タンク中間部から出湯する中間出湯管と、貯湯タンク内の湯水を加熱するヒートポンプ加熱手段と、貯湯タンク下部から取り出した湯水を加熱して上部に循環させる加熱循環回路と、所定の時間帯にヒートポンプ加熱手段によって貯湯タンク内の湯水を沸き上げ開始する沸き上げ制御手段と、を備え、沸き上げを開始する際の湯水境界層近傍の貯湯温度を基準とした判定温度を貯湯タンク最下部の貯湯温度センサが検出すると沸き上げ運転を終了するようにして、沸き上げ運転時にヒートポンプ加熱手段での加熱効率の悪い中温水を貯湯タンク内に残すようにしたものがあった。
【先行技術文献】
【特許文献】
【０００３】
【特許文献１】特開２００５−４９０５４号公報（請求項５、第３実施形態）
【発明の概要】
【発明が解決しようとする課題】
【０００４】
ここで、図５はこの従来のものを貯湯タンク容量３７０Ｌ、中温水取り出し位置１２０Ｌ、沸き上げ温度７０℃固定、給水温度１７℃（中間期）、一定の給湯負荷条件（予め定めた給湯パターンで所定の給湯量を給湯する条件）で給湯した際の貯湯タンク内の温度分布を独自にシミュレーションしたもので、一マスが貯湯タンク容量を略７等分した容量に相当し、図に例示した温度はシミュレーションで導出された温度を５℃単位に丸めた温度で示し、沸き上げ終了判定温度は３０℃を下限とした湯水境界層の最下端の温度としており、第１日目は３０℃、第２日目は５０℃、第３日目は３０℃が判定温度となった。
【０００５】
ところが、この従来のものの第１のシミュレーションでは、第１日目には沸き上げ運転時に残した中温水を給湯し切り、第２日目の沸き上げ開始時（Ｂ）には中温水がない状態で沸き上げ開始できるものの、その翌日の第３日目の沸き上げ開始時（Ｄ）には出湯しきれない中温水が多く発生し、沸き上げ運転の終了時（Ｅ）での貯湯熱量が少なくなってしまうという課題があった。
【０００６】
また、この従来のものにおいて、浴槽の湯水と貯湯タンク上部の湯水とを熱交換するフロ熱交換器を設け、昼間に貯湯タンク内の貯湯量が不足した場合にヒートポンプ加熱手段で沸き増すようにするため、貯湯タンクの第１の高さ位置の温度が第１の所定温度（例えば３０℃）以下となった場合、または、貯湯タンクの第１の高さ位置よりも高い第２の高さ位置の温度が第１の所定温度よりも高い第２の所定温度（例えば６０℃）以下となった場合にヒートポンプ加熱手段で沸き増すようにし、沸き増し運転が必要な第１のシミュレーションよりも大きめの給湯負荷条件の第２のシミュレーションを図６に示す。
【０００７】
この第２のシミュレーションでは、第２日目の昼間時（Ｅ）に貯湯タンク上部の高温の湯が多く給湯に使用されるため貯湯タンク上部の第１の高さ位置の温度が第２の所定温度（ここでは６０℃）以下となって、フロ熱交換器の加熱能力が早期に低下してしまうとともに、中温水が残っている状態でも沸き増し運転が行われ、その夜の第３日目の沸き上げの開始時（Ｆ）の中温水の残湯量が多くなり、沸き上げ終了時（Ｇ）での貯湯熱量がより少なくなってしまうという課題があった。
【課題を解決するための手段】
【０００８】
そこで、本発明は上記課題を解決するため、湯水を貯湯する貯湯タンクと、前記貯湯タンク下部に給水する給水管と、前記貯湯タンク上部から出湯する上部出湯管と、前記貯湯タンク中間部から出湯する中間出湯管と、前記貯湯タンク内の湯水を加熱するヒートポンプ加熱手段と、所定の時間帯に前記ヒートポンプ加熱手段によって前記貯湯タンク内の湯水を沸き上げ開始し、前記ヒートポンプ加熱手段に流入する湯水が所定の沸き上げ終了判定温度を超えると沸き上げ終了するようにした沸き上げ制御手段と、を備えたヒートポンプ式給湯装置において、前記貯湯タンクから中温水を出湯しきれたかどうかを判断する判断手段を設け、前記判断手段が中温水を出湯しきれなかったと判断した場合に、前記沸き上げ制御手段は前記沸き上げ終了判定温度を下げるようにした。
【０００９】
また、上記課題を解決するため、湯水を貯湯する貯湯タンクと、前記貯湯タンク下部に給水する給水管と、前記貯湯タンク上部から出湯する上部出湯管と、前記貯湯タンク中間部から出湯する中間出湯管と、前記貯湯タンク内の湯水を加熱するヒートポンプ加熱手段と、所定の時間帯に前記ヒートポンプ加熱手段によって前記貯湯タンク内の湯水を沸き上げ開始し、前記ヒートポンプ加熱手段に流入する湯水が所定の沸き上げ終了判定温度を超えると沸き上げ終了するようにした沸き上げ制御手段と、浴槽の湯水と前記貯湯タンク上部の湯水とを熱交換するフロ熱交換器と、前記貯湯タンクの第１の高さ位置の温度が第１の所定温度以下となった場合、または、前記貯湯タンクの前記第１の高さ位置よりも高い第２の高さ位置の温度が前記第１の所定温度よりも高い第２の所定温度以下となった場合に前記ヒートポンプ加熱手段で沸き増す沸き増し制御手段とを備えたヒートポンプ式給湯装置において、前記貯湯タンクから中温水を出湯しきれたかどうかを判断する判断手段を設け、前記判断手段が中温水を出湯しきれなかったと判断した場合に、前記沸き上げ制御手段は前記沸き上げ終了判定温度を下げるようにした。
【００１０】
また、所定の時間帯以外での前記ヒートポンプ加熱手段の１日の作動時間を積算する作動時間積算手段を設け、積算時間が所定時間以上となった場合は、前記沸き上げ制御手段は前記沸き上げ終了判定温度を上げるようにした。
【００１１】
また、前記判断手段は、前記中温水出湯管が接続された高さ付近の前記貯湯タンクの温度が所定の判断温度以下となることで中温水を出湯しきれたと判断するようにした。
【００１２】
また、前記所定の判断温度は前記沸き上げ終了判定温度より一定温度低い温度とした。
【発明の効果】
【００１３】
本発明によれば、中温水を出湯しきる条件で沸き上げ終了判定温度が決定されるため、一旦中温水を出湯しきることができ貯湯タンク内に残る中温水の量が減少し、沸き上げ運転の終了時の貯湯熱量を多くすることができるとともに、沸き上げ終了判定温度が低めに推移し、ヒートポンプ式加熱手段で沸き上げる湯水の温度が低温となり、ヒートポンプ式加熱手段の加熱効率を向上させることができる。
【００１４】
また、浴槽の湯水と前記貯湯タンク上部の湯水とを熱交換する風呂熱交換器と、前記貯湯タンクの第１の高さ位置の温度が第１の所定温度以下となった場合、または、前記貯湯タンクの前記第１の高さ位置よりも高い第２の高さ位置の温度が前記第１の所定温度よりも高い第２の所定温度以下となった場合に前記ヒートポンプ加熱手段で沸き増す沸き増し制御手段とを備えたヒートポンプ式給湯装置においては、上記効果に加えて、中温水を出湯しきる条件で沸き上げ終了判定温度が決定されるため、中温水が給湯し切られることで第１の高さ位置の温度が第２の高さ位置の温度よりも先に低下し易くなり、貯湯タンク上部の温度を高く保つことができ、フロ加熱能力を高く保つことができる。
【図面の簡単な説明】
【００１５】
【図１】本発明の第１の実施形態の概略構成図
【図２】第１の実施形態のシミュレーションによる貯湯タンクの温度分布の変遷を示す図
【図３】本発明の第２の実施形態の概略構成図
【図４】第２の実施形態のシミュレーションによる貯湯タンクの温度分布の変遷を示す図
【図５】従来例の第１のシミュレーションによる貯湯タンクの温度分布の変遷を示す図
【図６】従来例の第２のシミュレーションによる貯湯タンクの温度分布の変遷を示す図
【発明を実施するための形態】
【００１６】
本発明の第１の実施形態のヒートポンプ式給湯装置を図１に基づいて説明する。
１は湯水を貯湯する貯湯タンク、２は貯湯タンク１に給水する給水管、３は給水管２に設けられ給水圧を減圧する減圧弁、４は貯湯タンク１上部から出湯する上部出湯管、５は上部出湯管４に設けられ過圧を逃がす過圧逃がし弁、６は貯湯タンク１中間部から出湯する中間出湯管、７は上部出湯管４からの湯水と中間出湯管６からの湯水を混合する中間混合弁、８は中間混合弁７の下流側に設けられた中間温度センサ、９は減圧弁３の下流側の給水管２から分岐した給水バイパス管、１０は中間混合弁７からの湯水と給水バイパス管９からの水とを混合する給湯混合弁、１１は給湯混合弁１０からの湯水を給湯する給湯管、１２は給湯管１１に設けられた給湯温度センサ、１３は給湯管１１に設けられた給湯流量センサ、１４は給湯栓である。
【００１７】
給湯栓１４が開かれると、中間混合弁７で中間出湯管６からの湯に上部出湯管４からの湯を混合して給湯設定温度より一定温度以上高い温度の湯を生成し、さらに給湯混合弁１０で給水バイパス管９からの水を混合して給湯設定温度の湯を給湯する。このとき、中間出湯管６からの湯が優先して出湯されるため、貯湯タンク１内の中間部から下部にかけて中温水が存在した場合は、中温水が優先的に給湯される。
【００１８】
１５は冷媒を圧縮する圧縮機、１６は冷媒と湯水を熱交換する給湯熱交換器、１７は冷媒を減圧する減圧手段、１８は低温冷媒を蒸発させる蒸発器としての空気熱交換器、１９は空気熱交換器１８に外気を送風する送風ファンであり、これら圧縮機１５、給湯熱交換器１６、減圧手段１７、空気熱交換器１８を冷媒配管２０で環状に接続し、貯湯タンク１内の湯水を沸き上げるヒートポンプ加熱手段２１を構成している。
【００１９】
２２は貯湯タンク１の下部と給湯熱交換器１６の入口とを接続する加熱往き管、２３は給湯熱交換器１６の出口と貯湯タンク１の上部とを接続する加熱戻り管、２４は加熱往き管２２に設けられ貯湯タンク１下部から取り出した湯水を給湯熱交換器１６を介して貯湯タンク１上部に循環させる加熱循環ポンプ、２５は加熱往き管２２に設けられ給湯熱交換器１６に流入する湯水の温度を検出する入水温度センサ、２６は加熱戻り管２３に設けられ給湯熱交換器１６から流出する湯水の温度を検出する沸き上げ温度センサである。
【００２０】
２７は貯湯タンク１上部の貯湯温度を検出する上部温度センサ、２８は中間出湯管６の接続高さよりもわずかに低い高さに設けられ貯湯タンク１中間部の貯湯温度を検出する中間温度センサ、２９は貯湯タンク１の最下部付近に設けられ貯湯タンク１下部の貯湯温度を検出する下部温度センサである。
【００２１】
３０は給湯温度や各種必要な設定を行うためのリモートコントローラ、３１はこのヒートポンプ式給湯装置の作動を制御する制御手段であり、この制御手段３１には予め作動を制御するためのプログラムが記憶されていると共に、演算、比較、記憶機能、時計機能を有しているものである。
【００２２】
３２は制御手段３１に設けられた沸き上げ制御手段で、電気料金単価が安価な所定の時間帯（電力会社の時間帯別電力料金制度における深夜時間帯）にヒートポンプ加熱手段２１によって貯湯タンク１内の湯水を沸き上げ開始し、給湯熱交換器１６に流入する湯水が所定の沸き上げ終了判定温度を超えたことを下部温度センサ２９で検出すると沸き上げ終了するようにしているものである。
【００２３】
夜中の所定の時間帯の開始時刻になると沸き上げ制御手段３２はそれまでの給湯負荷量に見合う湯量を沸き上げ開始するべく、圧縮機１５と減圧手段１７と送風ファン１９と加熱循環ポンプ２４を駆動開始して貯湯タンク１下部から取り出した湯水を給湯熱交換器１６で沸き上げ設定温度まで加熱して貯湯タンク１上部へ戻し、貯湯タンク１上部から沸き上げ設定温度の湯を積層状に貯湯し、下部温度センサ２９が所定の沸き上げ終了判定温度を検出すると、沸き上げ運転を終了する。
【００２４】
３３は制御手段３１に設けられた判断手段で、貯湯タンク１から中温水を出湯しきれたかどうかを判断するもので、朝方の所定の時間帯が終了した時点から夜中の所定の時間帯が開始されるまでの間に中間温度センサ２８が中温水とみなせる下限温度あるいはそれよりわずかに低い温度（ここでは例えば３０℃）以下を検出すると中温水を出湯しきれたと判断して記憶し、沸き上げ運転の開始または終了とともに記憶内容をリセットするようにしている。
【００２５】
３４は制御手段３１に設けられた沸き増し制御手段で、貯湯タンク１の所定の高さ位置（ここでは上部温度センサ２７の高さ位置）の温度が予め定められた所定温度以下となった場合にヒートポンプ加熱手段２１を駆動して貯湯タンク１内に高温の湯を沸き増すよう制御するものである。
【００２６】
３５は制御手段に設けられた作動時間積算手段で、朝方の所定の時間帯が終了した時点から夜中の所定の時間帯が開始されるまでの間の１日にヒートポンプ加熱手段２１が沸き増し運転で作動する作動時間を積算、記憶し、沸き上げ運転の開始または終了とともに記憶内容をリセットするようにしている。
【００２７】
そして、沸き上げ制御手段３２は中温水を出湯しきるように所定の沸き上げ終了判定温度を可変設定するもので、夜中の所定の時間帯が開始されるまでの間に判断手段３３が中温水を出湯しきれたと判断できなかった場合は所定の沸き上げ終了判定温度を下げる方向へ可変し、また、作動時間積算手段３５で積算する作動時間が所定時間を超えた場合は沸き上げ終了判定温度を上げる方向へ可変するようにしている。
【００２８】
このようにして沸き上げ終了判定温度が上げ下げされて決定されるため、中温水を出湯しきる条件で沸き上げ終了判定温度が安定し、沸かし直す中温水の量を減少できてヒートポンプの加熱効率を向上することができる。
【００２９】
ここで、所定の沸き上げ終了判定温度には上限温度と下限温度が設定され、上限温度としては例えば５０℃が設定され、ヒートポンプの加熱効率の過度の低下やヒートポンプ加熱手段２１の高圧側の異常圧力上昇を防止しており、下限温度としては給水温度よりも高い３０℃が設定され、給水が温度的に多少鈍った水を許容して沸き上げ運転を行えるようにし、ヒートポンプの加熱効率の向上を図っているものである。
【００３０】
また、中温水を出湯しきれたと判断できずに、かつ、沸き増しの作動時間が所定時間を超えた場合は、沸き上げ終了判定温度を上げるようにして、過度な沸き増し運転を行わなせないようにし、電力消費の負荷平準化を図っているものである。
【００３１】
次に、この第１の実施形態において、従来例で説明した第１のシミュレーションと同じ条件、貯湯タンク容量３７０Ｌ、中温水取り出し位置１２０Ｌ、沸き上げ温度７０℃固定、給水温度１７℃（中間期）、一定の給湯負荷条件（予め定めた給湯パターンで所定の給湯量を給湯する条件）で給湯した際の貯湯タンク内の温度分布を独自にシミュレーションしたものを図２に示す。ここでは、一マスが貯湯タンク容量を略７等分した容量に相当し、図に例示した温度はシミュレーションで導出された温度を５℃単位に丸めた温度で示し、沸き上げ終了判定温度は３０℃から開始し、昼間の沸き増しが入らない給湯負荷条件であるため、第１日目は３０℃、第２日目は３０℃、第３日目は３０℃が判定温度となった。
【００３２】
このシミュレーション結果によると、第１日目には沸き上げ運転時に残した中温水を給湯し切り、第２日目の沸き上げ開始時（Ｂ）には中温水がない状態で沸き上げ開始でき、さらに、その翌日の第３日目の沸き上げ開始時（Ｄ）にも中温水がない状態で沸き上げ開始でき、第３日の沸き上げ終了時（Ｅ）においても従来のもの（図５の（Ｅ））に比べて中温水の量が少なく、貯湯熱量を従来よりも多くすることができた。
【００３３】
さらに、沸き上げ終了判定温度が低めに推移することとなるため、このシミュレーション結果では、第１日目〜第３日目までいずれも沸き上げ終了判定温度が全て３０℃となり、第２日目に５０℃となった従来のものよりもヒートポンプ式加熱手段２１での加熱効率を向上させることができる。
【００３４】
次に、本発明の第２の実施形態について説明する。ここで、先に説明した第１の実施形態と同一のものは同一の符号を付してその説明を省略するものとする。
【００３５】
図３において、３６は貯湯タンク１内の上部に設けたフロ熱交換器で、浴槽３７とフロ循環回路３８で浴槽水が循環可能に接続されている。３９はフロ循環ポンプ、４０は浴槽３７からフロ熱交換器３６へ戻る浴槽水の温度を検出するフロ温度センサ、４１は給湯管１１から分岐されてフロ循環回路３８へ接続された湯張り管、４２は湯張り管４１の開閉を行う湯張り電磁弁、４３はリモートコントローラ３０に設けられ、浴槽３７への湯張りに続いて一定時間の保温運転を行わせるフロスイッチである。
【００３６】
４４は制御手段３１に設けられた沸き増し制御手段で、貯湯タンク１の第１の高さ位置（ここでは中間温度センサ２８の高さ位置）の温度が第１の所定温度（例えば３０℃）以下となった場合、または、貯湯タンク１の第１の高さ位置よりも高い第２の高さ位置（ここでは上部温度センサ２７の高さ位置）の温度が第１の所定温度よりも高い第２の所定温度（例えば６０℃）以下となった場合にヒートポンプ加熱手段２１で沸き増すように制御するものである。
【００３７】
ここで、第１の所定温度は判断手段３３が中温水を出湯しきれたと判断する中温水の下限温度と同一の温度またはそれよりもわずかに低い温度（例えば３０℃）であることが好ましく、第２の所定温度はフロ熱交換器３６による浴槽水の加熱能力をある程度担保できる温度であることが好ましい。
【００３８】
次に、この第２の実施形態において、従来例で説明した第２のシミュレーションと同じ条件、貯湯タンク容量３７０Ｌ、中温水取り出し位置１２０Ｌ、沸き上げ温度７０℃固定、給水温度１７℃（中間期）、第１のシミュレーションよりも負荷の大きい一定の給湯負荷条件（予め定めた給湯パターンで所定の給湯量を給湯し、浴槽水を複数回保温運転する条件）で給湯した際の貯湯タンク内の温度分布を独自にシミュレーションしたものを図４にしめす。ここでは、一マスが貯湯タンク容量を略７等分した容量に相当し、図に例示した温度はシミュレーションで導出された温度を５℃単位に丸めた温度で示し、沸き上げ終了判定温度は３０℃から開始し、昼間の沸き増しが約７５分間入る給湯負荷条件で、作動時間積算手段３５による沸き上げ終了判定温度の昇温を行わない条件であるため、第１日目は３０℃、第２日目は３０℃、第３日目は３０℃が判定温度となった。
【００３９】
このシミュレーション結果によると、第１日目の昼間時（Ｂ）には沸き上げ運転時に残した中温水を出湯しきるとともに、中間温度センサ２８が３０℃以下を検出して沸き増し運転を行う。そして、第２日目の沸き上げ開始時（Ｃ）には中温水がない状態で沸き上げ開始でき、再度下部温度センサ２９が沸き上げ終了判定温度として設定された３０℃を検出して沸き上げが終了される（Ｄ）。
【００４０】
そして、第２日目の昼間時（Ｅ）には第１日目に引き続き沸き上げ運転時に残した中温水を出湯しきることができるとともに、中間温度センサ２８が３０℃以下を検出して沸き増し運転を行う。そして、第３日目の沸き上げ開始時（Ｆ）には中温水がない状態で沸き上げ開始でき、再度下部温度センサ２９が沸き上げ終了判定温度として設定された３０℃を検出して沸き上げが終了されることとなる（Ｇ）。
【００４１】
このように、従来例の第２のシミュレーション結果と比較すると、従来は第２日目の沸き上げ終了時（図６のＤ）のように、沸き上げ終了判定温度が５０℃に上昇するため、第２日目の昼間時（図６のＥ）に中温水を出湯しきる前に上部温度センサ２７が６０℃以下を検出して沸き増し運転が行われ、第３日目の沸き上げ開始時（図６のＦ）には中温水が多く残り、第３日目の沸き上げ終了時（図６のＧ）での貯湯熱量が少なくなっていたのに対し、第２の実施形態では、第２日目の沸き上げ終了判定温度が第１日目と変わらずに３０℃であるため第２日目の昼間時（Ｅ）には中温水を出湯しきってから沸き増し運転が行われ、第３日目の沸き上げ開始時（Ｆ）には中温水がない状態となり、第３日目の沸き上げ終了時（Ｇ）での貯湯熱量を多くすることができた。
【００４２】
さらに、沸き上げ終了判定温度が低めに推移することとなるため、このシミュレーション結果では、第１日目〜第３日目までいずれも沸き上げ終了判定温度が全て３０℃となり、第２日目に５０℃となった従来のものよりもヒートポンプ式加熱手段２１での加熱効率を向上させることができる。
【００４３】
また、第１日目の昼間時（Ｂ）、第２日目の昼間（Ｅ）など、昼間の時間帯においても貯湯タンク１の上部の貯湯温度を従来のものに比べて高い温度に保つことができるため、フロ加熱能力を高く保つことができる。
【００４４】
なお、本発明は上記の実施形態に限定されるものではなく、例えば、沸き上げ終了判定温度と比較する温度を入水温度センサ２５で検知するようにしてもよく、また、沸き上げ終了判定温度の下限温度は固定値のみならず、貯湯タンク１の下部に供給される市水の温度（十分に給湯を行った後に下部温度センサ２９で検出する温度）よりも所定値高い温度としてもよく、その場合、より効率の向上に適しかつ給水温度の変動に即した沸き上げ終了判定温度を設定することが可能となる。
【００４５】
また、中温水を出湯しきったかどうかを判定する温度を、沸き上げ終了判定温度よりも予め定めた往って温度だけわずかに低い温度としてもよく、このようにすると、中温水を全て出湯しきることができ、ヒートポンプ加熱手段２１の加熱効率をさらに向上させることができる。
【符号の説明】
【００４６】
１  貯湯タンク
２  給水管
４  上部出湯管
６  中間出湯管
２１  ヒートポンプ加熱手段
３２  沸き上げ制御手段
３３  判断手段
３４  沸き増し制御手段
３５  作動時間積算手段
３６  フロ熱交換器
４４  沸き増し制御手段
【図１】
0005457983.tif 000002
【図２】
0005457983.tif 000003
【図３】
0005457983.tif 000004
【図４】
0005457983.tif 000005
【図５】
0005457983.tif 000006
【図６】
0005457983.tif 000007